(57)【要約】【課題】暗い場所でも集塵容器内の集塵量を簡単かつ正しく確認できる集塵装置を提供する。【解決手段】集塵装置２００は、電動工具１００に設けられ、電動工具１００によって発生された粉塵を収集可能な装置本体２０と、装置本体２０に設けられ、粉塵を回収する集塵容器２４と、を備える。集塵容器２４は、電動工具１００に設けられた照明部８からの光を集塵容器２４の内部に取り入れるための透光部２４４と、集塵容器２４の内部を装置本体２０の外部に露出するための窓部と、を有する。【選択図】図４
2020163538.tif 000002
【特許請求の範囲】
【請求項１】
電動工具に設けられ、前記電動工具によって発生された粉塵を収集可能な装置本体と、
前記装置本体に設けられ、前記粉塵を回収する集塵容器と、を備え、
前記集塵容器は、
前記電動工具又は前記装置本体に設けられた照明部からの光を前記集塵容器の内部に取り入れるための透光部と、
前記集塵容器の内部を前記装置本体の外部に露出するための窓部と、を有する、
集塵装置。
【請求項２】
前記透光部に入射する光を前記集塵容器の内部に導光する導光体を更に備える、
請求項１に記載の集塵装置。
【請求項３】
前記集塵容器は、前記装置本体に着脱可能に設けられている
請求項１又は２に記載の集塵装置。
【請求項４】
前記窓部を第１窓部とし、
前記装置本体は、前記集塵容器の前記窓部を外部に露出するための第２窓部を有する、
請求項１〜３の何れか１項に記載の集塵装置。
【請求項５】
前記照明部は、前記電動工具に設けられている、
請求項１〜４の何れか１項に記載の集塵装置。
【請求項６】
前記照明部を第１照明部とし、
前記集塵装置は、前記電動工具に設けられた状態で前記電動工具による作業範囲を照明する第２照明部を備える、
請求項１〜５の何れか１項に記載の集塵装置。
【請求項７】
前記窓部は、前記集塵容器の外表面のうち、前記照明部の光軸に平行な面に設けられている、
請求項１〜６の何れか１項に記載の集塵装置。
【請求項８】
前記窓部は、前記集塵容器の側面に設けられている、
請求項１〜６の何れか１項に記載の集塵装置。
【請求項９】
請求項１〜８の何れか１項に記載の集塵装置と、
前記電動工具と、を備える
集塵装置付き電動工具。
【発明の詳細な説明】
【技術分野】
【０００１】
本開示は、集塵装置及び集塵装置付き電動工具に関し、より詳細には、電動工具が発生させた粉塵を収集可能な集塵装置及び集塵装置付き電動工具に関する。
【背景技術】
【０００２】
特許文献１に記載の集塵装置は、電動工具に設けられ、電動工具が発生した粉塵を収集する。この集塵装置は、流入口から流入した含塵空気を旋回して粉塵を遠心分離する渦流発生ユニット（装置本体）と、渦流発生ユニットで分離された粉塵を集塵する集塵ユニット（集塵容器）とを備えている。
【先行技術文献】
【特許文献】
【０００３】
【特許文献１】ＷＯ２０１７／０５６４００Ａ１
【発明の概要】
【発明が解決しようとする課題】
【０００４】
上記の集塵装置では、集塵ユニットに溜まった粉塵の量（集塵量）を確認する場合、集塵ユニットを渦流発生ユニットから取り外し、集塵ユニットの内部を外部に露出させる必要がある。上記の集塵装置は、照明設備が設置されていない薄暗い場所で使用される場合がある。この場合、集塵ユニット内の集塵量を確認するためには、明るい場所に行って、明るい場所で集塵ユニットを取り外して集塵量を確認する必要がある。
【０００５】
本開示は、暗い場所でも集塵容器内の集塵量を簡単かつ正しく確認できる集塵装置及び集塵装置付き電動工具を提供することを目的とする。
【課題を解決するための手段】
【０００６】
本開示の一態様の集塵装置は、電動工具に設けられ、前記電動工具によって発生された粉塵を収集可能な装置本体と、前記装置本体に設けられ、前記粉塵を回収する集塵容器と、を備える。前記集塵容器は、前記電動工具又は前記装置本体に設けられた照明部からの光を前記集塵容器の内部に取り入れるための透光部と、前記集塵容器の内部を前記装置本体の外部に露出するための窓部と、を有する。
【０００７】
本開示の一態様の集塵装置付き電動工具は、上記の一態様の集塵装置と、前記電動工具と、を備える。
【発明の効果】
【０００８】
本開示によれば、暗い場所でも集塵容器内の集塵量を簡単かつ正しく確認できる、という効果を有する。
【図面の簡単な説明】
【０００９】
【図１】図１は、実施形態に係る集塵装置付き電動工具を示す側面図である。
【図２】図２は、同上の集塵装置付き電動工具を構成する電動工具を示す模式的な側面図である。
【図３】図３は、同上の集塵装置付き電動工具を構成する集塵装置を示す側面図である。
【図４】図４は、同上の集塵装置を示す断面図である。
【図５】図５は、同上の集塵装置を示す斜視図である。
【図６】図６は、同上の集塵装置に備えられる集塵容器を示す斜視図である。
【図７】図７は、変形例２の集塵装置を示す断面図である。
【図８】図８は、同上の集塵装置に備えられる集塵容器を示す斜視図である。
【図９】図９は、変形例３の集塵装置を示す断面図である。
【図１０】図１０は、変形例４の集塵装置を示す側面図である。
【発明を実施するための形態】
【００１０】
以下、本開示の実施形態について説明する。下記の実施形態は、本開示の様々な実施形態の例に過ぎない。また、下記の実施形態は、本開示の目的を達成できれば、設計等に応じて種々の変更が可能である。
【００１１】
（実施形態）
図１〜図５を参照して、本実施形態に係る集塵装置付き電動工具１について説明する。図１に示すように、集塵装置付き電動工具１は、電動工具１００と、集塵装置２００とを備えている。
【００１２】
以下では、集塵装置付き電動工具１の上下、左右、前後の方向を、図１に図示されている上下、左右、前後の矢印を用いて規定して説明する。なお、左方向は、図１の紙面垂直方向において奥側から手前側に向く方向である。右方向は、図１の紙面垂直方向において手前側から奥側に向く方向である。これらの矢印は、単に説明を補助する目的で記載しているに過ぎず、実体を伴わない。また、これらの方向は、電動工具１００の使用方向を限定する趣旨ではない。
【００１３】
（電動工具１００）
図１及び図２に示すように、電動工具１００は、先端工具７を駆動して加工対象物を加工する電動工具である。加工対象物は、例えばコンクリート又は木材等である。より詳細には、電動工具１００は、例えばハンマドリルであり、先端工具７による回転切削によって加工対象物に孔を形成したり、先端工具７によって加工対象物に打撃を加えて加工対象物を破砕する。なお、回転切削とは、先端工具７を回転させながら加工対象物を切削することである。
【００１４】
電動工具１００は、工具本体２と、スピンドル３と、チャック部４と、モータ５と、伝達機構６と、先端工具７と、照明部８（第１照明部）と、工具側端子部９と、トリガスイッチ１０と、照明スイッチ１１と、電池パック１２と、制御部１３とを備えている。なお、電池パック１２及び先端工具７は、電動工具１００の構成要件に含まれなくてもよい。
【００１５】
工具本体２は、電動工具１００の外郭を構成するハウジングを構成する。工具本体２は、モータハウジング１２１と、ギヤハウジング１２２と、電池装着部１２３と、把持部１２４とを有する。
【００１６】
モータハウジング１２１は、上下方向に延びた筒状である。モータハウジング１２１の内部には、モータ５が収容されている。モータハウジング１２１の前部には、照明部８及び工具側端子部９が配置されている。
【００１７】
ギヤハウジング１２２は、前後方向に延びた筒状である。ギヤハウジング１２２は、モータハウジング１２１の上部から前方に突出するように、モータハウジング１２１の上部に連結されている。ギヤハウジング１２２の内部には、スピンドル３及び伝達機構６が収容されている。
【００１８】
電池装着部１２３は、モータハウジング１２１の後部から後方へ延びる部分である。電池装着部１２３は、電池パック１２と着脱可能に連結可能である。電池装着部１２３の下面には、工具側電源端子部が設けられている。工具側電源端子部は、電池パック１２が電池装着部１２３に装着された状態で、電池パック１２に設けられた電池側電源端子部と電気的に接続可能である。この接続により電池パック１２の電力が工具本体２に供給可能となる。
【００１９】
電池パック１２は、回路部品（モータ５、照明部８及び制御部１３など）を駆動させるための電力を供給する。電池パック１２は、電池装着部１２３に着脱可能に設けられている。電池パック１２は、充電可能な二次電池（例えばリチウムイオン電池）で構成されている。
【００２０】
把持部１２４は、作業者によって把持される部分である。把持部１２４は、上下方向に延びた筒状である。把持部１２４は、ギヤハウジング１２２の後部と電池装着部１２３の後部上面とを連結している。把持部１２４には、トリガスイッチ１０と、照明スイッチ１１とが設けられている。
【００２１】
スピンドル３は、先端工具７を保持する部分である。スピンドル３は、その中心軸が前後方向に沿うように、ギヤハウジング１２２の内部の前部に配置されている。スピンドル３の先端部には、チャック部４が設けられている。チャック部４は、スピンドル３が先端工具７を保持する状態をロックし、そのロックを解除する部分である。
【００２２】
モータ５は、スピンドル３に保持された先端工具７を駆動させるための駆動源である。モータ５は、電池装着部１２３に装着された電池パック１２からの電力によって駆動される。
【００２３】
伝達機構６は、モータ５の回転出力をスピンドル３に伝達する機構である。伝達機構６は、ギヤハウジング１２２の内部において、例えば、モータ５の上側に配置されている。伝達機構６は、回転機構６１と、打撃機構６２とを有する。回転機構６１は、モータ５の回転出力に応じてスピンドル３を回転させることで、先端工具７を回転駆動させる。打撃機構６２は、モータ５の回転出力を往復運動に変換し、その往復運動によってスピンドル３をその後ろ側から打撃することで、先端工具７を打撃駆動させる。打撃駆動とは、先端工具７を、加工対象物に打撃を与えるように駆動させることである。
【００２４】
照明部８は、電動工具１００による作業範囲を照らすための装置である。照明部８は、光源として例えば発光ダイオードを備えている。照明部８は、モータハウジング１２１の前部の所定箇所（例えば下部）に設けられ、前方に露出している。照明部８は、制御部１３に電気的に接続されている。照明部８の光軸Ｌ１は、前方斜め上方を向いている。照明部８は、電動工具１００による作業時において、照明部８の照明光を前方斜め上に向けて照射し、先端工具７の先端部分の周辺を含む作業領域を照らすように構成されている。
【００２５】
工具側端子部９は、集塵装置２００が電動工具１００に連結された状態で、集塵装置２００の装置側端子部２３と電気的に接続する部分である。工具側端子部９は、モータハウジング１２１の前部の所定箇所（例えば照明部８の下側の箇所）に設けられ、前方に露出している。工具側端子部９は、上記の工具側電源接続部と電気的に接続されている。工具側端子部９は、電池パック１２が電池装着部１２３に装着され、かつ集塵装置２００が電動工具１００に装着された状態で、電池パック１２の電力を工具側端子部９から集塵装置２００の装置側端子部２３に出力する。
【００２６】
トリガスイッチ１０は、モータ５の回転速度を調整するための操作を入力する操作部である。トリガスイッチ１０の操作量に応じて、モータ５の回転速度を調整可能である。トリガスイッチ１０は、把持部１２４の前部の上部に設けられている。トリガスイッチ１０は、制御部１３に電気的に接続されている。トリガスイッチ１０は、その操作量に関する信号（操作量）を制御部１３に出力する。
【００２７】
照明スイッチ１１は、照明部８の点灯及び消灯を切り替えるための手動スイッチである。照明スイッチ１１は、例えば押しボタンスイッチである。照明スイッチ１１は、例えばモータハウジング１２１の側面に配置されている。照明スイッチ１１は、制御部１３に電気的に接続されている。照明スイッチ１１は、押される毎に点灯信号及び消灯信号を制御部１３に出力する。
【００２８】
制御部１３は、トリガスイッチ１０からの操作量信号からトリガスイッチ１０の操作量を判断し、その操作量に応じてモータ５の回転速度を制御する。また、制御部１３は、照明スイッチ１１からの信号が点灯信号であるか消灯信号であるかに応じて、照明部８を点灯及び消灯に切り替える。
【００２９】
（集塵装置２００）
図１に示すように、集塵装置２００は、電動工具１００に着脱自在に連結される。集塵装置２００は、先端工具７が加工対象物に対して回転切削又は打撃を行うことで加工対象物から発生した粉塵を収集するための装置である。集塵装置２００は、電動工具１００のモータハウジング１２１の前部１２１ａに着脱可能に装着される。
【００３０】
図３〜図５に示すように、集塵装置２００は、装置本体２０と、集塵モータ２１と、吸引ファン２２と、装置側端子部２３と、集塵容器２４と、粉塵移送部２６と、粉塵吸引部２７と、を備えている。
【００３１】
装置本体２０は、その外郭を形成するハウジングを構成する。装置本体２０は、集塵モータ２１と、吸引ファン２２と、集塵容器２４とを収容する。装置本体２０は、その後部に嵌合凹部２０１を有する（図５参照）。嵌合凹部２０１は、電動工具１００と集塵装置２００とが連結した状態で、電動工具１００のモータハウジング１２１の前部１２１ａに嵌り合う部分である。嵌合凹部２０１は、装置本体２０の後部において上下方向に沿って設けられている。
【００３２】
嵌合凹部２０１の底面（すなわち装置本体２０の後部）２０１ａには、装置側端子部２３が設けられている。装置本体２０の上部には、粉塵移送部２６が設けられている。
【００３３】
装置本体２０は、モータ収容部２０２と、容器収容凹部２０３とを有する（図４参照）。
【００３４】
容器収容凹部２０３は、集塵容器２４を収容する凹部である。容器収容凹部２０３は、装置本体２０の表面（例えば下面２０ａ）において、装置本体２０の上方に向かって窪んでいる。容器収容凹部２０３は、左右方向に沿った方向から見て、例えば台形状である。容器収容凹部２０３の上面には、流入口２０３ａが設けられ、容器収容凹部２０３の前面には、流出口２０３ｂが設けられている。流入口２０３ａは、集塵装置２００が吸引した空気を容器収容凹部２０３の内部に流入させるための開口である。流出口２０３ｂは、容器収容凹部２０３に流入した空気を容器収容凹部２０３の外部に排気するための開口である。集塵容器２４が容器収容凹部２０３に収容された状態では、集塵容器２４の下部２４ａは、装置本体２０の外部に露出すると共に装置本体２０の外形の一部を構成する（図３参照）。この集塵装置２００では、集塵容器２４は、集塵装置２００の外部から容器収容凹部２０３に対して出し入れ可能（すなわち着脱可能）である。
【００３５】
モータ収容部２０２は、集塵モータ２１を収容する部分（すなわち壁で仕切られた空間）である。モータ収容部２０２は、容器収容凹部２０３の前側に隣接している。モータ収容部２０２の内部空間は、流出口２０３ｂを介して容器収容凹部２０３の内部空間と繋がっている。モータ収容部２０２の内部は、装置本体２０の側面に設けられた所定の排気口と繋がっている。
【００３６】
装置本体２０は、採光窓部２０４（図５参照）と、露出窓部２０５（第２窓部）（図３参照）とを有する。
【００３７】
採光窓部２０４は、電動工具１００の照明部８の照明光を集塵装置２００の容器収容凹部２０３の内部に取り入れるための窓部である。採光窓部２０４は、嵌合凹部２０１の底面２０１ａの所定箇所に設けられている。採光窓部２０４は、嵌合凹部２０１の底面２０１ａから容器収容凹部２０３の後面２０３ｃまで貫通している（図４参照）。採光窓部２０４は、集塵装置２００が電動工具１００に装着された状態で、装置本体２０のおける照明部８に対向する箇所（すなわち電動工具１００の照明部８の光軸Ｌ１と重なる箇所）に配置されている。
【００３８】
露出窓部２０５は、集塵容器２４の後述の窓部２４５を集塵装置２００の外部に露出するための窓部である。露出窓部２０５は、例えば、開口部として形成されているが、透明性（半透明を含む。）を有する部材（例えば樹脂）で閉塞されてもよい。露出窓部２０５は、装置本体２０の側面２０ｂ（例えば左側面（横面））において、集塵容器２４の窓部２４５と対向する部分に設けられている。装置本体２０の側面２０ｂは、集塵装置２００の外表面のうち、照明部８の光軸Ｌ１に平行な面である。装置本体２０の側面２０ｂは、集塵装置２００の外周面のうち、照明部８の光軸Ｌ１に直交する方向の側面でもある。露出窓部２０５は、例えば集塵容器２４の窓部２４５と同形同大の形状（縦長の矩形）に形成されている。
【００３９】
集塵モータ２１は、集塵装置２００の駆動源である。集塵モータ２１は、装置本体２０のモータ収容部２０２内に配置されている（図４参照）。集塵モータ２１の回転軸部は、左右方向に延びている。集塵モータ２１の回転軸部の先端部には、吸引ファン２２が固定されている。集塵モータ２１は、装置側端子部２３と電気的に接続されており、装置側端子部２３から供給される電力によって回転駆動される。集塵モータ２１が回転駆動することで吸引ファン２２が回転され、この回転によって集塵装置２００の吸引力が生成する。
【００４０】
装置側端子部２３は、集塵装置２００が電動工具１００に連結された状態で、電動工具１００の工具側端子部９と電気的に接続する部分である（図５参照）。装置側端子部２３は、装置本体２０の後部２０１ａの所定箇所（例えば下部）に設けられている。装置側端子部２３は、装置本体２０の後部２０１ａにおいて、後方に露出している。装置側端子部２３は、集塵モータ２１と電気的に接続されている。
【００４１】
集塵容器２４は、集塵装置２００が吸引した粉塵を回収する（すなわち溜める）容器である。集塵容器２４は、装置本体２０の容器収容凹部２０３の内部に配置されている（図４参照）。集塵容器２４は、上述のように装置本体２０に対して外部から着脱可能である。集塵容器２４は、容器収容凹部２０３と同形同大の形状（すなわち左右方向から見て台形状の箱状）であり、容器収容凹部２０３の内部に嵌り合って収容される。
【００４２】
集塵容器２４は、容器本体２４１と、流入口２４２と、流出口２４３と、透光部２４４と、窓部２４５（第１窓部）と、集塵フィルタ２４６とを有する（図４及び図６参照）。容器本体２４１は、左右方向から見て台形状の箱状である。容器本体２４１は、例えば遮光性の部材で形成されている。流入口２４２は、集塵装置２００が吸引した空気を集塵容器２４の内部に流入させるための開口である。流入口２４２は、容器本体２４１の上面に設けられている。流出口２４３は、集塵容器２４に流入した空気を集塵容器２４の外部に排気するための開口である。流出口２４３は、容器本体２４１の前面に設けられている。集塵フィルタ２４６は、容器本体２４１の内部において流出口２４３を塞ぐ様に配置されている。
【００４３】
窓部２４５は、集塵容器２４の内部を外部に露出するための窓部である（図６参照）。この窓部２４５によって、集塵容器２４の外部から集塵容器２４の内部に溜まった集塵の量（集塵量）を視認可能である。窓部２４５は、例えば縦長の矩形状であり、透明性（半透明を含む。）を有する部材（例えば樹脂）で閉塞されている。窓部２４５は、容器本体２４１の側面２４１ａ（例えば左側面（横面））に設けられている。側面２４１ａは、集塵容器２４が装置本体２０に収容された状態で、集塵容器２４の外表面のうち、照明部８の光軸Ｌ１に平行な面である。装置本体２０の側面２４１ａは、集塵容器２４が装置本体２０に収容された状態で、集塵装置２００の外周面のうち、照明部８の光軸Ｌ１に直交する方向の側面でもある。
【００４４】
透光部２４４は、電動工具１００の照明部８の照明光を集塵容器２４の内部に取り入れるための窓部である（図４及び図６参照）。透光部２４４は、透明性（半透明を含む。）を有する部材（例えば樹脂）で形成されている。透光部２４４は、容器本体２４１の後面２４１ｂの所定箇所に設けられている。より詳細には、透光部２４４は、集塵容器２４が容器収容凹部２０３に収容された状態で、容器本体２４１の後面２４１ｂにおいて、装置本体２０の採光窓部２０４と対向する箇所に設けられている。
【００４５】
この集塵容器２４では、流入口２４２から流入した空気は、集塵容器２４の集塵フィルタ２４６を通過して流出口２４３から集塵容器２４の外部に排気される。従って、流入口２４２から流入した空気に含まれる集塵は、集塵フィルタ２４６で空気から分離されて集塵容器２４の内部に溜まる。
【００４６】
また、この集塵容器２４では、外部からの光が、透光部２４４から集塵容器２４の内部に取り込まれ、その光によって集塵容器２４の内部が照らされる。そして、窓部２４５によって、集塵容器２４の外部から集塵容器２４の内部に溜まった集塵の量（集塵量）を視認可能である。
【００４７】
この集塵容器２４が装置本体２０の容器収容凹部２０３に収容された状態では、集塵容器２４の流入口２４２と容器収容凹部２０３の流入口２０３ａとが互いに隣接すると共に互いに上下方向に重なる（図４参照）。また、集塵容器２４の流出口２４３と容器収容凹部２０３の流出口２０３ｂとが互いに隣接すると共に互いに前後方向に重なる（図４参照）。また、集塵容器２４の透光部２４４と容器収容凹部２０３の採光窓部２０４とが互いに隣接すると共に互いに前後方向に重なる（図４参照）。また、集塵容器２４の窓部２４５と容器収容凹部２０３の露出窓部２０５とが互いに隣接すると共に互いに左右方向に重なる（図３参照）。
【００４８】
粉塵移送部２６は、集塵装置２００が吸引した含塵空気を装置本体２０の容器収容凹部２０３まで移送する部分である。粉塵移送部２６は、装置本体２０の前面の上部から前方に突出するように、装置本体２０に設けられている（図４参照）。
【００４９】
粉塵移送部２６は、可動筒部２６１と、固定筒部２６２と、ホース２６３とを備えている。
【００５０】
可動筒部２６１は、筒状である。可動筒部２６１は、先端工具１１９の長軸方向（前後方向）に延在している。可動筒部２６１は、装置本体２０の前面の上部から装置本体２０の前方に突出するように、装置本体２０に設けられている。可動筒部２６１は、装置本体２０に対して前後方向に可動可能に支持されている。可動筒部２６１の前後方向の移動は、装置本体２０の内壁に設けられたガイド機構によってガイドされている。つまり、可動筒部２６１は、後方へ移動すると装置本体２０内に収容され、前方へ移動すると装置本体２０から前方へ突出するように、構成されている。可動筒部２６１の前端開口には、粉塵吸引部２７の後述の吸引筒部２７２が設けられている。
【００５１】
固定筒部２６２は、その筒軸の途中で屈曲しており、前半部は前後方向に延び、後半部が下方に延びている。固定筒部２６２の後端開口は、装置本体２０の容器収容凹部２０３の上面の流入口２０３ａに連結されている。すなわち、固定筒部２６２は、装置本体２０の内部に固定されている。
【００５２】
ホース２６３は、蛇腹状のホースであり、伸縮自在である。ホース２６３の前端開口は、可動筒部２６１の前端開口の内部に配置された後述の連結筒部２７３に連結され、ホース２６３の後端開口は、固定筒部２６２の前端開口に連結される。
【００５３】
粉塵吸引部２７は、粉塵を吸引する部分である。粉塵吸引部２７は、吸引部本体２７１と、吸引筒部２７２と、連結筒部２７３と、ゴムカバー２７４とを備えている。
【００５４】
吸引部本体２７１は、上下方向に延びた筒状であり、粉塵移送部２６の可動筒部２６１の前端部から上方に突出している。吸引部本体２７１の内部空間は、可動筒部２６１の内部空間と繋がっている。
【００５５】
連結筒部２７３は、ホース２６３の前端開口が連結される部分である。連結筒部２７３は、吸引部本体２７１の下部から後方に突出しており、吸引部本体２７１が可動筒部２６１の前端開口に設けられた状態で、可動筒部２６１の内部に挿入される。連結筒部２７３の内部空間は、吸引部本体２７１の内部空間と繋がっている。
【００５６】
吸引筒部２７２は、前後方向に延びた短尺の筒状である。吸引筒部２７２の下部中央に吸引部本体２７１の上端開口が連結している。吸引筒部２７２の内部空間は、吸引部本体２７１の内部空間と繋がっている。吸引筒部２７２の前端開口２７２ａは、粉塵を吸引する吸塵口として機能する。吸引筒部２７２の後端開口は、ゴムカバー２７４によって塞がれている。ゴムカバー２７４には、半径に沿って切れ目が設けられており、先端工具７が貫通可能である。吸引筒部２７２は、集塵装置２００が電動工具１００に装着された状態では、ゴムカバー２７４を貫通して吸塵口２７４ａから前方に突出する先端工具７の先端部分の周囲を包囲する。
【００５７】
図４に示すように、この集塵装置２００では、集塵モータ２１の回転駆動により吸引ファン２２が回転する。この回転によって、モータ収容部２０２の内部の空気が装置本体２０の排気口から外部に排気される。これにより、粉塵吸引部２７の吸引口２７２ａの周辺の空気が、吸引口２７２ａから粉塵吸引部２７、ホース２６３、固定筒部２６２、集塵容器２４を経由してモータ収容部２０２に吸引される。この結果、先端工具７が加工対象物を加工したときに発生した粉塵が、上記の吸引される空気と一緒に集塵容器２４まで移送される。そして、集塵容器２４の集塵フィルタ２４６によって空気と粉塵とが分離され、粉塵が集塵容器２４の内部に溜められる。
【００５８】
また、この集塵装置２００では、電動工具１００の照明部８を点灯させると、照明部８の照明光が集塵装置２００の採光窓部２０４及び集塵容器２４の透光部２４４を介して集塵容器２４の内部に入射し、集塵容器２４の内部を照らす。そして、この集塵容器２４の内部を、外部から集塵装置２００の露出窓部２０５及び集塵容器２４の窓部２４５を介して視認可能である。このため、暗い場所でも、照明部８を点灯させることで、外部から窓部（露出窓部２０５及び窓部２４５）を介して集塵容器２４の内部の集塵量を確認できる。すなわち、暗い場所でも、集塵容器２４を装置本体２０から取り外すことなく、集塵容器２４内の集塵量を確認できる。この結果、暗い場所でも集塵容器２４内の集塵量を簡単かつ正しく確認できる。
【００５９】
（変形例）
以下、上記の実施形態の変形例を説明する。上記の実施形態は、本発明の目的を達成できれば、設計等に応じて種々の変更が可能である。以下に説明する変形例は、適宜組み合わせて適用可能である。また、以下に説明する変形例では、上記の実施形態と同じ点については同符号を付して説明を省略し、上記の実施形態と異なる点を中心に説明する。
【００６０】
（変形例１）
上記の実施形態では、集塵容器２４は、容器本体２４１が遮光性の部材で形成され、透光部２４４及び窓部２４５が透明性の部材で形成されるが、容器本体２４１、透光部２４４及び窓部２４５を透明性の部材で一体的に形成してもよい。
【００６１】
（変形例２）
図７及び図８に示すように、上記の実施形態において、集塵装置２００は、導光体２８を更に備えてもよい。導光体２８は、電動工具１００の照明光を集塵装置２００の集塵容器２４の内部に導光する光学部品である。導光体２８は、集塵容器２４内に配置される。導光体２８は、例えば円錐形台状であってもよい。なお、導光体２８の形状は、円錐台形に限定されない。
【００６２】
図７に示すように、導光体２８は、直径が大きい方の円形断面である大径断面２８ａと、直径が小さい方の円形断面である小径断面２８ｂと、外周面２８ｃとを有する。そして、小径断面２８ｂが光入射面となり、大径断面２８ａ及び外周面２８ｃが光射出面となる。導光体２８は、その中心軸Ｌ２が電動工具１００の照明部８の光軸Ｌ１と重なるように集塵容器２４の内部に配置される。この場合は、集塵容器２４の透光部２４４は、透明性の部材で閉塞されておらず、単なる開口部である。そして、導光体２８の小径断面２８ｂ側の先端部が集塵容器２４の透光部２４４を貫通して集塵装置２００の採光窓部２０４から外部に突出される。また、大径断面２８ａ及び、外周面２８ｃの上記先端部以外の部分は、集塵容器２４の内部に配置される。この場合、導光体２８は、集塵フィルタ２４６と集塵容器２４の後面２４１ｂとの間に挟まれて固定されてもよい。
【００６３】
この変形例では、電動工具１００の照明部８からの照明光は、小径断面２８ｂ（光入射面）から導光体２８内に入射し、大径断面２８ａ及び外周面２８ｃから射出することで、集塵容器２４の内部に取り入れされる。このため、照明部８の照明光を効果的に集塵容器２４の内部に取り入れることができ、照明光によって集塵容器２４の内部を効果的に照らすことができる。
【００６４】
（変形例３）
上記の実施形態では、照明部８は、電動工具１００に設けられているが、図９に示すように、照明部８Ｂは、集塵装置２００に設けられていてもよい。すなわち、上記の実施形態では、集塵装置２００は、電動工具１００の照明部８からの照明光を透光部２４４から集塵容器２４の内部に取り込むことで、集塵容器２４の内部を照らす。これに対し、本変形例では、集塵装置２００は、照明部８Ｂを備える。照明部８Ｂは、装置本体２０の容器収容凹部２０３の後面２０３ｃにおいて、集塵容器２４の透光部２４４に対向する部分に配置されている。照明部８Ｂの光軸Ｌ３は、容器収容凹部２０３の内部に向けられている。そして、集塵装置２００は、照明部８Ｂからの照明光を透光部２４４から集塵容器２４の内部に取り込むことで、集塵容器２４の内部を照らす。この場合は、電動工具１００に照明部８が無くても、集塵容器２４の内部を照明光で照らすことができる。
【００６５】
（変形例４）
図１０に示すように、上記の実施形態において、集塵装置２００は、電動工具１００による作業領域を照らす照明部５０（第２照明部）を更に備えてもよい。照明部５０は、装置本体２０の前部の所定箇所（例えば下部）に設けられ、前方に露出している。照明部５０の光軸Ｌ４は、前方斜め上方に傾斜している。これにより、照明部５０の照明光が電動工具１００による作業範囲に照射可能である。本変形例では、集塵装置が電動工具に装着された状態で、電動工具１００による作業範囲を照明光で照らすことができる。
【００６６】
（まとめ）
第１の態様の集塵装置（２００）は、電動工具（１００）に設けられ、電動工具（１００）によって発生された粉塵を収集可能な装置本体（２０）と、装置本体（２０）に設けられ、粉塵を回収する集塵容器（２４）と、を備える。集塵容器（２４）は、電動工具（１００）又は装置本体（２０）に設けられた照明部（８，８Ｂ）からの光を集塵容器（２４）の内部に取り入れるための透光部（２４４）と、集塵容器（２４）の内部を装置本体（２０）の外部に露出するための窓部（２４５）と、を有する。
【００６７】
この構成によれば、透光部（２４４）によって、照明部（８，８Ｂ）からの照明光を集塵容器（２４）の内部に取り込むため、照明部（８，８Ｂ）からの照明光によって、集塵容器（２４）の内部を照らすことができる。また、窓部（２４５）によって、装置本体（２０）の外部から集塵容器（２４）の内部を視認できる。この結果、暗い場所でも、照明部（８，８Ｂ）を点灯させることで、装置本体（２０）の外部から窓部（２４５）を介して集塵容器（２４）内の集塵量を確認できる。すなわち、暗い場所でも集塵容器（２４）内の集塵量を簡単かつ正しく確認できる。
【００６８】
第２の態様の集塵装置（２００）は、第１の態様において、透光部（２４４）に入射する光を集塵容器（２４）の内部に導光する導光体（２８）を更に備える。
【００６９】
この構成によれば、導光体（２８）によって、照明部（８，８Ｂ）からの照明光を集塵容器（２４）の内部に効率良く導光できる。この結果、照明部（８，８Ｂ）からの照明光によって集塵容器（２４）の内部を効果的に照らすことができる。
【００７０】
第３の態様の集塵装置（２００）は、第１又は第２の態様において、集塵容器（２４）は、装置本体（２０）に着脱可能に設けられている。
【００７１】
この構成によれば、装置本体（２０）から集塵容器（２４）を外すことができ、集塵容器（２４）内の集塵を簡単に回収可能である。
【００７２】
第４の態様の集塵装置（２００）は、第１〜第３の態様の何れか１つの態様において、窓部（２４５）を第１窓部（２４５）とし、装置本体（２０）は、集塵容器（２４）の窓部（２４５）を外部に露出するための第２窓部（２０５）を有する。
【００７３】
この構成によれば、集塵容器（２４）が装置本体（２０）の内部に収容された状態で、装置本体（２０）の外部から第２窓部（２０５）を介して集塵容器（２４）の窓部（２４５）を視認できる。
【００７４】
第５の態様の集塵装置（２００）は、第１〜第４の態様の何れか１つの態様において、照明部（８）は、電動工具（１００）に設けられている。
【００７５】
この構成によれば、電動工具（１００）の照明部（８）を利用して集塵容器（２４）の内部を照らすことができる。
【００７６】
第６の態様の集塵装置（２００）では、第１〜第５の態様の何れか１つの態様において、照明部（８，８Ｂ）を第１照明部（８，８Ｂ）とする。集塵装置（２００）は、電動工具（１００）に設けられた状態で電動工具（１００）による作業範囲を照明する第２照明部（５０）を備える。
【００７７】
この構成によれば、第１照明部（８，８Ｂ）が集塵容器（２４）の内部を照らすために用いられても、集塵装置（２００）の第２照明部（５０）によって電動工具（１００）による作業範囲を照らすことができる。
【００７８】
第７の態様の集塵装置（２００）では、第１〜第６の態様の何れか１つの態様において、窓部（２４５）は、集塵容器（２４）の外表面のうち、照明部（８，８Ｂ）の光軸（Ｌ１，Ｌ３）に平行な面に設けられている。
【００７９】
この構成によれば、使用者が電動工具（１００）を用いて作業を行っている最中に、集塵容器（２４）の窓部（２４５）を介して外部に放たれた照明光が、使用者の目に直接入射することを抑制できる。
【００８０】
第８の態様の集塵装置（２００）では、第１〜第６の態様の何れか１つの態様において、窓部（２４５）は、集塵容器（２４）の側面（２４１ａ）に設けられている。
【００８１】
この構成によれば、使用者が電動工具（１００）を用いて作業を行っている最中に、集塵容器（２４）の窓部（２４５）を介して外部に放たれた照明光が、使用者の目に直接入射することを抑制できる。
【００８２】
第９の態様の集塵装置（２００）付き電動工具（１００）は、第１〜第８の態様の何れか１つの態様の集塵装置（２００）と、電動工具（１００）と、を備える。
【００８３】
この構成によれば、上記の集塵装置（２００）を備えた電動工具（１００）を提供できる。
【符号の説明】
【００８４】
１  集塵装置付き電動工具
８，８Ｂ  照明部
２０  装置本体
２４  集塵容器
５０  照明部（第２照明部）
１００  電動工具
２００  集塵装置
２０５  露出窓部（第２窓部）
２４４  透光部
２４５  窓部（第１窓部）
【図１】
2020163538.tif 000003
【図２】
2020163538.tif 000004
【図３】
2020163538.tif 000005
【図４】
2020163538.tif 000006
【図５】
2020163538.tif 000007
【図６】
2020163538.tif 000008
【図７】
2020163538.tif 000009
【図８】
2020163538.tif 000010
【図９】
2020163538.tif 000011
【図１０】
2020163538.tif 000012